(57)【要約】【課題】フォーカス方向及びトラッキング方向に変位する光学アクチュエータ側の対物レンズと、光学ベース側の光学部品と、の相互間空間を防塵壁で外部から遮蔽することによって光学部品への埃の付着を防止する。【解決手段】対物レンズ１１と光学部品６０との相互間空間Ａを挟む両側に防塵壁８０をが配備する。防塵壁８０を、隙間空間Ｗを隔てて位置する一対の片部８１，８２に分割する。一方側の片部８１を上記光学ベース側に設け、他方側の片部８２を光学アクチュエータ側に設ける。それらの片部８１，８２は、光学アクチュエータ１０が、フォーカス方向での上限位置及び下限位置の相互間で変位するときに隙間空間Ｗを隔ててトラッキング方向で常時重なり合う長さを有する。【選択図】図２
2012155810.tif 000002
【特許請求の範囲】
【請求項１】
対物レンズを有する可動子としての光学アクチュエータと、この光学アクチュエータの上記対物レンズに対設された光学部品が取り付けられた光学ベースと、を備える光ピックアップにおいて、
上記対物レンズと上記光学部品との相互間空間を挟む両側のうちの少なくとも片側に防塵壁が配備され、
この防塵壁が、上記光学アクチュエータのトラッキング方向で、そのトラッキング変位幅よりも広い隙間空間を隔てて位置する一対の片部に分割されていて、一方側の片部が上記光学ベース側に設けられ、他方側の片部が上記光学アクチュエータ側に設けられていると共に、それらの片部は、上記光学アクチュエータが、フォーカス方向での上限位置及び下限位置の相互間で変位するときに上記隙間空間を隔てて上記トラッキング方向で常時重なり合う長さを有していることを特徴とする光ピックアップの防塵構造。
【請求項２】
他方側の上記片部と光学アクチュエータの上記対物レンズを保持しているレンズホルダーとが樹脂で成形された一体の構造体に含まれ、一方側の上記片部が上記光学ベースと一体に樹脂で成形されている請求項１に記載した光ピックアップの防塵構造。
【請求項３】
上記構造体が、上記相互間空間を挟む両側に配備された一対の一方側の上記片部の対向空間の上方を覆う覆板部を有して、その覆板部に他方側の上記片部が設けられている請求項２に記載した光ピックアップの防塵構造。
【請求項４】
上記光学アクチュエータが、上記光学ベースに具備された凹所に収容されている請求項１ないし請求項３のいずれか１項に記載した光ピックアップの防塵構造。
【発明の詳細な説明】
【技術分野】
【０００１】
本発明は、光ピックアップ、特に、可動子としての光学アクチュエータ側の対物レンズや光学ベース側のミラーなどの光学部品に埃が付着して光学性能が劣化する、という事態を防ぐための対策が講じられた光ピックアップの防塵構造に関する。
【背景技術】
【０００２】
記録媒体であるディスクの記録面を光学的に走査する機能を備えた光ピックアップは、発光素子や受光素子、ミラー、その他の光学部品が組み付けられた光学ベースに、対物レンズを備えた可動子としての光学アクチュエータを取り付けることによって構成されている。
【０００３】
この種の光ピックアップに採用されている可動子としての光学アクチュエータは対物レンズが装着されたレンズホルダーを有し、所定の電磁駆動手段の作用によって、フォーカス方向やトラッキング方向などの多方向に変位可能に光学ベースに取り付けられている。レンズホルダーを多方向変位可能にベース部材に取り付けるための構成としては、たとえば、光学ベース側に固定した配線基板から片持ち状に延び出させた複数本のワイヤーの端部にレンズホルダーを取り付ける、といった手段が多々採用されている。
【０００４】
ところで、光ピックアップには、可動子としての光学アクチュエータが、光学ベースの上面に積み重ね状に設置されているタイプや、光学ベースに形成された凹所に収容されているタイプがあり、後者のタイプの光ピックアップは、可動子としての光学アクチュエータが、光学ベースの上面から突出しないために前者に比べて光ピックアップの薄形化を促進しやすいといった利点などを有している。
【０００５】
図３には薄形化された光ピックアップを概略側面図で示してある。図示の光ピックアップＰは、可動子としての光学アクチュエータ１０を、光学ベース５０に具備されている凹所５１に区画形成されている設置スペースＳに収容することによって当該光ピックアップＰの薄形化を図っている。なお、光学ベース５０には、光ピックアップＰの走行を記録媒体としてのディスクの半径方向に案内するための主軸や副軸（不図示）に摺動自在に係合される係合部５２，５３のほか、制御基板５４、平板状のカバー５５などが備わっている。
【０００６】
図３に示した光ピックアップでは、光学アクチュエータ１０の設置スペースＳが光学ベース５０の上面で開放されていて、しかも、その設置スペースＳは、光学アクチュエータ１０のトラッキング方向及びフォーカス方向の変位を許容し得る広さを有している。そのため、この種の薄型の光ピックアップＰは、その内部が、光学アクチュエータ１０の設置スペースＳを経て外部に対して剥き出し状態になっていると云える。そのように光ピックアップＰの内部が外部に対して剥き出し状態になっていると、外部から光ピックアップＰの内部に埃が侵入し、その埃が、光学ベース５０側で光学アクチュエータ１０の対物レンズ１１との対向位置に設置されたミラーなどの光学部品６０に付着して光学性能を劣化させてしまうという事態を生じるおそれがある。特に、図３に示したように、光学ベース５０の側壁に上記設置スペースＳを側方に向けて開放するような開口５６を形成することが要求されている光ピックアップでは、埃がその開口５６を経て光ピックアップの内部に侵入しやすいために上記事態を生じる懸念が大きいということが云える。
【０００７】
この点を図４を参照して具体的に説明する。図４（Ａ）（Ｂ）（Ｃ）は薄型の光ピックアップの光学ベース５０及び光学アクチュエータ１０の概略構成を示した説明図である。同図の光学ベース５０はその側壁に開口５６を有していて、この開口５６が光学アクチュエータ１０の設置スペース５１を側方に向けて開放している。また、同図には光学アクチュエータ１０のフォーカス方向での中立位置を一点鎖線Ｌで示してある。
【０００８】
図４（Ａ）のように光学アクチュエータ１０がフォーカス方向で中立位置Ｌに位置しているときに、光ピックアップで発生する気流が開口５６や光学ベース１０の凹所５１の上面の開放箇所５７などを経て矢印Ｆ１，Ｆ２のように光学アクチュエータ１０の設置スペースＳに流入すると、その気流Ｆと共に埃も設置スペースＳに容易に侵入してしまって光学部品６０に付着するということが起こり得る。同図（Ｂ）のように光学アクチュエータ１０がフォーカス方向で中立位置Ｌからその上限位置まで幅Ｈ１だけ変位したとき、及び、同図（Ｃ）のように光学アクチュエータ１０がフォーカス方向で中立位置Ｌからその下限位置まで幅Ｈ２だけ変位したときのいずれの場合にも、上記同様に、光ピックアップで発生する気流Ｆ１，Ｆ２と共に埃が設置スペースＳに容易に侵入してしまって光学部品６０に付着するということが起こり得る。
【０００９】
そこで、比較例として、図３に示した開口５６を無くし、その開口５６を側壁で塞いだ光学ベース５０を試作した。図５（Ａ）（Ｂ）（Ｃ）は、この構成の光ピックアップの概略構成を示した説明図である。５８は側壁である。同図にも、上記同様に光学アクチュエータ１０のフォーカス方向での中立位置を一点鎖線Ｌで示してある。
【００１０】
この比較例によると、図５（Ａ）のように光学アクチュエータ１０がフォーカス方向で中立位置Ｌに位置しているとき、同図（Ｂ）のようにフォーカス方向で中立位置Ｌからその上限位置まで幅Ｈ１だけ変位したとき、及び、同図（Ｃ）のように光学アクチュエータ１０がフォーカス方向で中立位置Ｌからその下限位置まで幅Ｈ２だけ変位したときの各場合に、光ピックアップで発生する気流Ｆ１は光学ベース５０の側壁（上記開口５６を塞いでいる側壁）５８に当たってその周囲に逃がされる。しかしながら、光ピックアップで発生する他の気流Ｆ２が光学ベース１０の凹所５１の上面の開放箇所５７を経て光学アクチュエータ１０の設置スペースＳに流入する可能性があり、そのために、埃が設置スペースＳに容易に侵入してしまって光学部品６０に付着するということが起こり得る。
【００１１】
一方、光ピックアップの分野では、防塵カバーによって光学アクチュエータや光学部品を防塵することが周知である（たとえば、特許文献１、特許文献２、特許文献３、特許文献４参照）。ここで掲げた特許文献１には、カバーの側面と光学ベースとの間に存在する隙間から埃の侵入を防止することについての記述がある。また、特許文献２では、光学ベースの凹部に設置されたアクチュエータや光学部品を、光学ベースの凹部の周縁部（光学ベースの外周部）に設けた保護用周壁部によって防塵することが示唆されている。この特許文献２による防塵対策は、図５を参照して説明した光ピックアップに見られるような側壁５８による防塵対策と軌を一にしている。さらに、特許文献３では、ベースに取り付けた透明な蓋部によって、コンパクトディスクプレーヤのピックアップ部の上面を覆うことが示されている。
【先行技術文献】
【特許文献】
【００１２】
【特許文献１】特開平１１−２３２６７８号公報
【特許文献２】特許第３５０３３４０号公報
【特許文献３】特開平９−９７４４１号公報
【発明の概要】
【発明が解決しようとする課題】
【００１３】
冒頭で説明したように、光ピックアップ、特に、図３を参照して説明したような薄型の光ピックアップでは、図４又は図５を参照して説明したように光ピックアップで発生する気流と共に埃が光学アクチュエータ１０の設置スペースＳに容易に侵入してしまって光学部品６０に付着するということが起こり、光ピックアップの光学性能が劣化することがあるという問題があった。
【００１４】
この問題は、特許文献１に見られるようなカバーの側面と光学ベースとの間に存在する隙間から埃の侵入を防止するための対策や、特許文献２に見られるような光学ベースに保護用周壁部を設けるという対策によっては、到底解決することができない。また、特許文献３に見られるように、透明な蓋部でピックアップ部の上面を覆うという対策では、透明な蓋部が余分に必要になってそれだけ部品点数が増え、組立工程が複雑になるのでコスト高になる。
【００１５】
本発明は、以上の状況に鑑みてなされたものであり、可動子としての光学アクチュエータ側の対物レンズとその対物レンズに対設された光学ベース側の光学部品との相互間空間を防塵壁で外部から遮蔽することを基本として、部品を追加することなく、光学アクチュエータのフォーカス方向及びトラッキング方向の変位に支障をきたさずに対物レンズや光学部品への埃の付着を防止することを解決課題としている。
【課題を解決するための手段】
【００１６】
本発明に係る光ピックアップの防塵構造は、対物レンズを有する可動子としての光学アクチュエータと、この光学アクチュエータの上記対物レンズに対設された光学部品が取り付けられた光学ベースと、を備える。そして、上記対物レンズと上記光学部品との相互間空間を挟む両側のうちの少なくとも片側に防塵壁が配備されている。また、この防塵壁が、上記光学アクチュエータのトラッキング方向で、そのトラッキング変位幅よりも広い隙間空間を隔てて位置する一対の片部に分割されていて、一方側の片部が上記光学ベース側に設けられ、他方側の片部が上記光学アクチュエータ側に設けられていると共に、それらの片部は、上記光学アクチュエータが、フォーカス方向での上限位置及び下限位置の相互間で変位するときに上記隙間空間を隔てて上記トラッキング方向で常時重なり合う長さを有している。
【００１７】
この構成を採用すると、光学アクチュエータ側の対物レンズとその対物レンズに対設された光学ベース側の光学部品との相互間空間が防塵壁で外部から遮蔽されるので、対物レンズや光学部品に埃が付着するという事態が防止される。そして、防塵壁が、光学ベース側の一方側の片部と、光学アクチュエータ側の他方側の片部とに分割されていて、それらの片部同士が、トラッキング方向では一定の隙間空間を隔てて位置し、かつ、フォーカス方向では、光学アクチュエータがその上限位置及び下限位置の相互間で変位するときに上記隙間空間を隔てて常時重なり合うように構成されていることにより、光学アクチュエータのフォーカス方向及びトラッキング方向の変位に支障をきたすことがない。
【００１８】
本発明では、他方側の上記片部と光学アクチュエータの上記対物レンズを保持しているレンズホルダーとが樹脂で成形された一体の構造体に含まれ、一方側の上記片部が上記光学ベースと一体に樹脂で成形されていることが望ましい。この構成であると、一方側及び他方側の各片部が、光学ベースやレンズホルダーに各別に樹脂で一体成形されているので、それらの各片部を別部品として構成する必要がない。
【００１９】
本発明では、上記構造体が、上記相互間空間を挟む両側に配備された一対の一方側の上記片部の対向空間の上方を覆う覆板部を有して、その覆板部に他方側の上記片部が設けられていることが望ましい。この構成であると、光学アクチュエータ側の対物レンズと光学ベース側の光学部品との相互間空間が、光学ベース側の一方側の片部と覆板部を有する構造体とによって取り囲まれるので、光学部品に埃がいっそう付着しにくくなる。
【００２０】
本発明では、上記光学アクチュエータが、上記光学ベースに具備された凹所に収容されている、という構成を採用することが可能であり、この構成であると、光ピックアップの薄形化が促進される。
【発明の効果】
【００２１】
以上説明したように、本発明に係る光ピックアップの防塵構造によると、部品を追加することなく、光学アクチュエータのフォーカス方向及びトラッキング方向の変位に支障をきたさずに対物レンズや光学部品への埃の付着を防止することが可能になる。また、光ピックアップの薄形化を促進するための防塵構造としても有益である。
【図面の簡単な説明】
【００２２】
【図１】本発明の実施形態による光ピックアップの要部を概略で示した斜視図である。
【図２】図２（Ａ）（Ｂ）（Ｃ）は本発明に係る光ピックアップの概略構成を示した説明図である。
【図３】薄形化された光ピックアップの概略側面図である。
【図４】図４（Ａ）（Ｂ）（Ｃ）は薄型の光ピックアップの概略構成を示した説明図である。
【図５】図５（Ａ）（Ｂ）（Ｃ）は、比較例としての薄型の光ピックアップの概略構成を示した説明図である。
【発明を実施するための形態】
【００２３】
図１は本発明の実施形態による光ピックアップの要部を概略で示した斜視図であり、図２（Ａ）（Ｂ）（Ｃ）は本発明に係る光ピックアップの概略構成を示した説明図である。
【００２４】
図１の実施形態による光ピックアップにおいて、可動子としての光学アクチュエータ１０は、樹脂成形体でなる光学ベース５０に具備された凹所５１に区画形成された設置スペースＳに収容されている。このように光学アクチュエータ１０が光学ベース５０の凹所５１の設置スペースＳに収容されていることによって、当該光ピックアップの薄形化が図られている。
【００２５】
光学ベース１０には、レーザダイオードでなる発光素子や光検出器のほか、回折格子（グレーチング）、ハーフミラー、コリメータレンズなどの必要な光学部品が組み付けられていて、それらの光学部品によって一定の光路が形成されている。図１及び図２には光学部品６０としてハーフミラー６１を示してある。また、光学ベース５０の側壁には、上記設置スペースＳを側方に向けて開放する開口５６が形成されている。
【００２６】
これに対し、可動子としての光学アクチュエータ１０は、対物レンズ１１を保持しているレンズホルダー１２を有し、このレンズホルダー１２が、図示していない電磁駆動手段の作用によって、フォーカス方向Ｙやトラッキング方向Ｘなどの多方向に変位可能に光学ベース５０に取り付けられている。レンズホルダー１２を多方向変位可能に光学ベース５０に取り付けるための構成として、光学ベース５０側に固定した配線基板から片持ち状に延び出させた複数本のワイヤー７１の端部にレンズホルダー１２を取り付けるといった手段が採用されている。
【００２７】
この構成の光ピックアップでは、発光素子からの投射光が、回折格子、ハーフミラー６１、コリメータレンズ、対物レンズ１１を経て、図示していないディスクの記録面に集光され、その戻り光が、対物レンズ１１、コリメータレンズ及びハーフミラー６１を経て光検出器に導かれる。したがって、このような光学系を有する光ピックアップによるディスクに対する光学的処理性能、言い換えると記録再生性能は、ハーフミラー６１などの光学部品に埃が付着することによって劣化するおそれがある。
【００２８】
この実施形態において、光学アクチュエータ１０側の対物レンズ１１と光学ベース５０側の光学部品６０としてのハーフミラー６１との相互間空間Ａを挟む両側に防塵壁８０が配備されている。この防塵壁８０は、光学ベース５０の外部から上記相互間空間Ａの内部に埃が侵入することを抑制するために設けられるのであって、光学ベース５０の凹所５１に位置している。この防塵壁８０は、光学ベース５０の凹所５１の底面に上向きに突設された一対の一方側の片部８１，８１と、可動子としての光学アクチュエータ１０側に設けられて下向きに垂下された一対の他方側の片部８２，８２とに分割されている。そして、図例の防塵壁８０にあっては、一対の一方側の片部８１，８１が、一対の他方側の片部８２，８２の内側に位置している。この点は、一対の一方側の片部８１，８１が、一対の他方側の片部８２，８２の外側に位置するように構成しておいてもよい。
【００２９】
また、他方側の片部８２と光学アクチュエータ１０の対物レンズ１１を保持しているレンズホルダー１２とが樹脂で一体に成形された門形の構造体２０に含まれている。さらに具体的には、構造体１３が、上記した一対の他方側の片部８２，８２とレンズホルダー１２とを含んでいるほか、それらのレンズホルダー１２とその両側に位置している一対の他方側の片部８２，８２とに亘る覆板部１３を含んでいて、覆板部１３に片部８２，８２が設けられている。したがって、門形の構造体１３は、光学ベース５０側の一対の一方側の片部８１，８１の対向空間の上方を覆う形態を有している。
【００３０】
図２（Ａ）（Ｂ）（Ｃ）には、図１に示した薄型の光ピックアップの概略構成が示されている。同図には光学アクチュエータ１０のフォーカス方向での中立位置を一点鎖線Ｌで示してある。
【００３１】
図２（Ａ）に示したように、一方側の片部８１と他方側の片部８２とは、可動子としての光学アクチュエータ１０のトラッキング方向Ｘの変位幅（トラッキング変位幅）よりも広い隙間空間Ｗを隔てて位置している。この隙間空間Ｗの広さは、光学アクチュエータ１０のトラッキング幅よりも少しだけ広ければよく、いたずらに広くすることは光ピックアップの大形化を来したり防塵作用を損なったりするので好ましくない。また、図２（Ａ）のように光学アクチュエータ１０がフォーカス方向Ｙで中立位置Ｌに位置しているとき、同図（Ｂ）のようにフォーカス方向で中立位置Ｌからその上限位置まで幅Ｈ１だけ変位したとき、及び、同図（Ｃ）のように光学アクチュエータ１０がフォーカス方向で中立位置Ｌからその下限位置まで幅Ｈ２だけ変位したときのいずれの場合にも、一方側の片部８１と他方側の片部８２とは上記した隙間空間Ｗを隔てて重なり合う長さを有している。言い換えると、一方側及び他方側の片部８１，８２同士は、光学アクチュエータ１０が、フォーカス方向Ｙでの上限位置及び下限位置の相互間で変位するときに、上記隙間空間Ｗを隔てて常時重なり合うように構成されている。したがって、同図（Ｂ）のように光学アクチュエータ１０がフォーカス方向Ｙで中立位置Ｌから上限位置に至る変位幅Ｈ１だけ変位したときには、一方側の片部８１の上端が他方側の片部８２の下端よりも上位に位置している。同図（Ｂ）には、一方側の片部８１の上端と他方側の片部８２の下端との相互間隔を符号Ｃ１で示してある。また、同図（Ｃ）のように光学アクチュエータ１０がフォーカス方向Ｙで中立位置Ｌから下限位置に至る変位幅Ｈ２だけ変位したときにも、一方側の片部８１の上端が他方側の片部８２の下端よりも上位に位置している。同図（Ｃ）には、一方側の片部８１の上端と他方側の片部８２の下端との相互間隔を符号Ｃ２で示してある。
【００３２】
この実施形態によると、図２（Ａ）（Ｂ）（Ｃ）に示したように、光学アクチュエータ１０が上限位置及び下限位置の相互間で変位するときに、光学アクチュエータ１０側の対物レンズ１１とその対物レンズ１１に対設された光学ベース５０側の光学部品６０としてのハーフミラー６１との相互間空間Ａが、光学ベース５０側の一方側の片部８１と光学アクチュエータ１０側の他方側の片部８２とでなる防塵壁８０によって外部から常時遮蔽されているので、光学アクチュエータ１０が中立位置Ｌに位置しているときは勿論、上限位置及び下限位置の相互間で変位するときに、光ピックアップで発生する気流Ｆ１が開口５６を経て凹所５１に流入したとしても、その気流Ｆ１が防塵壁８０に当たってその周囲に逃がされる。そのため、防塵壁８０で囲まれた上記相互間空間Ａに埃が侵入しにくくなり、その相互空間Ａに配備されている光学部品６０としてのハーフミラー６１に塵芥が付着するという事態が起こりにくい。
【００３３】
また、この実施形態では、図１に示したように一対の他方側の片部８２，８２とレンズホルダー１２と覆板部１３，１３とを有する門形の構造体２０が、光学ベース５０側の一対の他方側の片部８１，８１の対向空間の上方を覆う形態を有しているので、光ピックアップで発生する気流Ｆ２が光学ベース１０の凹所５１の上面の開放箇所５７を経て光学アクチュエータ１０の凹所５１に流入したとしても、その気流が上記相互間空間Ａには侵入しにくい。そのため、埃が上記相互間空間Ａに侵入して光学部品６０としてのハーフミラー６１に付着することが防止される。
【００３４】
この実施形態では、一方側の片部８１と他方側の片部８２とによって形成されている防塵壁８０が、対物レンズ１１と光学部品としてのハーフミラー６１との相互間空間Ａを挟む両側に配備されている。この点につき、上記相互間空間Ａの他側に光学ベース５０の凹所５１の壁面が近接して位置している場合には、上記相互間空間Ａの片側だけに防塵壁８０が配備されていてもよい。この場合には、相互間空間Ａの片側からの埃の侵入が防塵壁８０によって防止され、相互間空間Ａの他側からの埃の侵入は光学ベース５０の凹所５１の壁面によって防止される。
【符号の説明】
【００３５】
１０  光学アクチュエータ
１１  対物レンズ
１２  レンズホルダー
１３  覆板部
２０  構造体
５０  光学ベース
５１  凹所
６０  光学部品
６１  ハーフミラー
８０  防塵壁
８１  一方側の片部
８２  他方側の片部
Ａ  対物レンズと光学部品との相互間空間
Ｗ  隙間空間
Ｘ  トラッキング方向
【図１】
2012155810.tif 000003
【図２】
2012155810.tif 000004
【図３】
2012155810.tif 000005
【図４】
2012155810.tif 000006
【図５】
2012155810.tif 000007